(57)【要約】【課題】この発明は、処理の信頼性を高めることで利用客の利便性を向上でき、機器の動作異常を容易且つ確実に判断できる自動改札機、ＩＣカード処理装置、および自動改札システムを提供することを課題とする。【解決手段】自動改札システム１は、複数台の自動改札機２、および監視装置４を備えている。自動改札機２のアンテナ部１２にＩＣカードが翳されて、Ｒ／Ｗ１３を介して前回取引に関する処理データが読み取られる。そして、ＣＰＵ１０にて前回取引と同じ演算処理がなされて照合され、照合の結果、データが不一致の場合に、ゲート１４を閉じて通行を禁止して、表示部１５を介して異常を表示する。【選択図】    図１
2004310669.tif 000002
【特許請求の範囲】
【請求項１】
ＩＣカードを受け付けるカード受付部と、
受け付けたＩＣカードに記録されている前回取引に関する第１処理データを読み取るとともに今回取引に関する第２処理データをＩＣカードに書き込むリーダライタと、
このリーダライタで読み取った第１処理データに基づいて前回取引と同じ演算処理をして今回読み取った上記第１処理データと照合する演算部と、
利用客の通行を選択的に許可するゲートと、
上記演算部における照合の結果、データが不一致の場合、利用客の通行を禁止するように上記ゲートを閉じる制御部と、
を備えていることを特徴とする自動改札機。
【請求項２】
上記リーダライタは、上記カード受付部に翳したＩＣカードから無線によりデータを読み取るとともに当該ＩＣカードに無線によりデータを書き込むことを特徴とする請求項１に記載の自動改札機。
【請求項３】
上記演算部における照合の結果、データが不一致の場合、機器の動作異常を通知する表示部をさらに備えていることを特徴とする請求項１に記載の自動改札機。
【請求項４】
上記制御部は、上記演算部における照合の結果、データが一致した場合、今回取引に基づく精算処理をして上記リーダライタを介してＩＣカードに今回取引に関する第２処理データを書き込むとともに、利用客の通行を許可するように上記ゲートを開くことを特徴とする請求項１に記載の自動改札機。
【請求項５】
ＩＣカードを受け付けるカード受付部と、
受け付けたＩＣカードに記録されている前回取引に関する第１処理データを読み取るとともに今回取引に関する第２処理データをＩＣカードに書き込むリーダライタと、
このリーダライタで読み取った第１処理データに基づいて前回取引と同じ演算処理をして今回読み取った上記第１処理データと照合する演算部と、
この演算部における照合の結果を表示する表示部と、
を備えていることを特徴とするＩＣカード処理装置。
【請求項６】
上記演算部における照合の結果、データが一致した場合、今回取引に基づく精算処理をして上記リーダライタを介してＩＣカードに今回取引に関する第２処理データを書き込む制御部をさらに備えていることを特徴とする請求項５に記載のＩＣカード処理装置。
【請求項７】
上記制御部は、上記演算部における照合の結果、データが不一致の場合、前回取引時に当該ＩＣカードに当該第１処理データを書き込んだ機器の動作異常を通知することを特徴とする請求項６に記載のＩＣカード処理装置。
【請求項８】
鉄道の各駅の改札口にそれぞれ設置された複数台の自動改札機と、各駅の駅務室にそれぞれ設置されたＩＣカード処理装置と、を有する自動改札システムであって、
上記各駅の自動改札機は、
ＩＣカードを受け付ける第１のカード受付部と、
受け付けたＩＣカードに記録されている前回取引に関する第１処理データを読み取るとともに今回取引に関する第２処理データをＩＣカードに書き込む第１のリーダライタと、
この第１のリーダライタで読み取った第１処理データに基づいて前回取引と同じ演算処理をして今回読み取った上記第１処理データと照合する第１の演算部と、
利用客の通行を選択的に許可するゲートと、
上記第１の演算部における照合の結果、データが不一致の場合、利用客の通行を禁止するように上記ゲートを閉じる第１の制御部と、を備え、
上記各駅のＩＣカード処理装置は、
上記第１の演算部でデータが不一致となったＩＣカードを受け付ける第２のカード受付部と、
受け付けたＩＣカードに記録されている前回取引に関する第１処理データを読み取るとともに今回取引に関する第２処理データをＩＣカードに書き込む第２のリーダライタと、
この第２のリーダライタで読み取った第１処理データに基づいて前回取引と同じ演算処理をして今回読み取った上記第１処理データと照合する第２の演算部と、
この第２の演算部における照合の結果を表示する第２の表示部と、を備えていることを特徴とする自動改札システム。
【請求項９】
上記第１および第２のリーダライタは、上記第１および第２のカード受付部に翳したＩＣカードから無線によりデータを読み取るとともに当該ＩＣカードに無線によりデータを書き込むことを特徴とする請求項８に記載の自動改札システム。
【請求項１０】
上記自動改札機は、上記第１の演算部における照合の結果、データが不一致の場合、機器の動作異常を利用客に通知するとともに上記ＩＣカード処理装置による処理を促す案内表示をする第１の表示部をさらに備えていることを特徴とする請求項８に記載の自動改札システム。
【請求項１１】
上記自動改札機の上記第１の制御部は、上記第１の演算部における照合の結果、データが不一致の場合、当該自動改札機の識別番号を上記ＩＣカード処理装置に通知することを特徴とする請求項８に記載の自動改札システム。
【請求項１２】
上記自動改札機の上記第１の制御部は、上記第１の演算部における照合の結果、データが一致した場合、今回取引に基づく精算処理をして上記第１のリーダライタを介してＩＣカードに今回取引に関する第２処理データを書き込むとともに、利用客の通行を許可するように上記ゲートを開くことを特徴とする請求項８に記載の自動改札システム。
【請求項１３】
上記ＩＣカード処理装置は、上記第２の演算部における照合の結果、データが一致した場合、今回取引に基づく精算処理をして上記第２のリーダライタを介してＩＣカードに今回取引に関する第２処理データを書き込む第２の制御部をさらに備えていることを特徴とする請求項８に記載の自動改札システム。
【請求項１４】
上記第２の制御部は、上記第２の演算部における照合の結果、データが不一致の場合、前回取引時に当該ＩＣカードに当該第１処理データを書き込んだ自動改札機の動作異常を通知することを特徴とする請求項１３に記載の自動改札システム。
【発明の詳細な説明】
【０００１】
【発明の属する技術分野】
この発明は、鉄道の駅に設置された自動改札機、自動改札機で取り扱うＩＣカードを処理するＩＣカード処理装置、およびこれら自動改札機およびＩＣカード処理装置を含む自動改札システムに関する。
【０００２】
【従来の技術】
近年、Ｓｕｉｃａ等のＩＣカードを受け付けて乗車料金を清算して改札処理をする自動改札機が知られている。この種の自動改札機は、当該自動改札機が設置された駅から入場して鉄道を利用する場合、受け付けたＩＣカードに入場に関する情報を記録する入場処理をし、当該駅から出場する場合、受け付けたＩＣカードに対する精算処理をするとともに出場記録を書き込む。
【０００３】
例えば、Ａ駅から乗車して鉄道を利用した利用客がＢ駅で降車する場合、Ａ駅の自動改札機で利用客から受け付けたＩＣカードに入場記録を書き込み、Ｂ駅の自動改札機で当該ＩＣカードから入場記録を読み取って、この入場記録に基づいて乗車料金を引き去り処理して精算し、出場記録を書き込む。
【０００４】
【発明が解決しようとする課題】
しかし、上述した従来の処理では、例えばＡ駅の自動改札機でＩＣカードに入場記録を書き込む際、自動改札機の誤動作等により間違ったデータを書き込んでしまうと、Ｂ駅の自動改札機では、この間違った入場記録に基づいて通常通り精算処理をするため、間違った乗車料金を引き去り処理してしまうことになる。
【０００５】
また、Ｂ駅の自動改札機の誤動作等により間違った精算処理をして出場記録を書き込んだとしても、利用客は気づかずそのままになってしまう問題があった。
【０００６】
この発明は、以上の点に鑑みなされたもので、その目的は、処理の信頼性を高めることで利用客の利便性を向上でき、機器の動作異常を容易且つ確実に判断できる自動改札機、ＩＣカード処理装置、および自動改札システムを提供することにある。
【０００７】
【課題を解決するための手段】
上記目的を達成するため、本発明の自動改札機は、ＩＣカードを受け付けるカード受付部と、受け付けたＩＣカードに記録されている前回取引に関する第１処理データを読み取るとともに今回取引に関する第２処理データをＩＣカードに書き込むリーダライタと、このリーダライタで読み取った第１処理データに基づいて前回取引と同じ演算処理をして今回読み取った上記第１処理データと照合する演算部と、利用客の通行を選択的に許可するゲートと、上記演算部における照合の結果、データが不一致の場合、利用客の通行を禁止するように上記ゲートを閉じる制御部と、を備えている。
【０００８】
また、本発明のＩＣカード処理装置は、ＩＣカードを受け付けるカード受付部と、受け付けたＩＣカードに記録されている前回取引に関する第１処理データを読み取るとともに今回取引に関する第２処理データをＩＣカードに書き込むリーダライタと、このリーダライタで読み取った第１処理データに基づいて前回取引と同じ演算処理をして今回読み取った上記第１処理データと照合する演算部と、この演算部における照合の結果を表示する表示部と、を備えている。
【０００９】
更に、本発明の自動改札システムは、鉄道の各駅の改札口にそれぞれ設置された複数台の自動改札機と、各駅の駅務室にそれぞれ設置されたＩＣカード処理装置と、を有する自動改札システムであって、上記各駅の自動改札機は、ＩＣカードを受け付ける第１のカード受付部と、受け付けたＩＣカードに記録されている前回取引に関する第１処理データを読み取るとともに今回取引に関する第２処理データをＩＣカードに書き込む第１のリーダライタと、この第１のリーダライタで読み取った第１処理データに基づいて前回取引と同じ演算処理をして今回読み取った上記第１処理データと照合する第１の演算部と、利用客の通行を選択的に許可するゲートと、上記第１の演算部における照合の結果、データが不一致の場合、利用客の通行を禁止するように上記ゲートを閉じる第１の制御部と、を備え、上記各駅のＩＣカード処理装置は、上記第１の演算部でデータが不一致となったＩＣカードを受け付ける第２のカード受付部と、受け付けたＩＣカードに記録されている前回取引に関する第１処理データを読み取るとともに今回取引に関する第２処理データをＩＣカードに書き込む第２のリーダライタと、この第２のリーダライタで読み取った第１処理データに基づいて前回取引と同じ演算処理をして今回読み取った上記第１処理データと照合する第２の演算部と、この第２の演算部における照合の結果を表示する第２の表示部と、を備えている。
【００１０】
【発明の実施の形態】
以下、図面を参照しながらこの発明の実施の形態について詳細に説明する。
【００１１】
図１には、この発明の実施の形態に係る自動改札システム１（以下、単にシステム１と称する）の概略ブロック図を示してある。システム１は、鉄道の各駅（例えば図示のＡ駅やＢ駅）の改札口に並設された複数台の自動改札機２、および各駅の駅務室に設置された監視装置（ＩＣカード処理装置）４を有する。
【００１２】
各駅の自動改札機２は、メモリ１１に記憶されている制御プログラムに従って機器の動作を制御するＣＰＵ１０（演算部、第１の演算部、制御部、第１の制御部）を有する。ＣＰＵ１０には、利用客が所持しているＳｕｉｃａ等のＩＣカードを翳すためのアンテナ部１２（カード受付部、第１のカード受付部）、アンテナ部１２に翳されたＩＣカードとの間で無線によりデータを送受信してＩＣカードに記録されているデータを読み取るとともにＩＣカードにデータを書き込むリーダライタ（Ｒ／Ｗ）１３（第１のリーダライタ）、利用客の通行を選択的に許可すべく開閉されるゲート１４、利用客に対して各種情報を表示する表示部１５（第１の表示部）、および以下に説明する監視装置４との間で各種データを送受信するための送受信部１６が接続されている。メモリ１１には、当該システム１が適用される鉄道会社の全ての駅に関し、各駅間の乗車料金を記録したデータベースが用意されている。
【００１３】
各駅の監視装置４は、メモリ２１に記憶されている制御プログラムに従って機器の動作を制御するＣＰＵ２０（演算部、第２の演算部、制御部、第２の制御部）を有する。ＣＰＵ２０には、利用客から駅係員が受け取ったＩＣカードを翳すためのアンテナ部２２（カード受付部、第２のカード受付部）、アンテナ部２２に翳されたＩＣカードとの間で無線によりデータを送受信してＩＣカードに記録されているデータを読み取るとともにＩＣカードにデータを書き込むリーダライタ（Ｒ／Ｗ）２３（第２のリーダライタ）、駅係員に対して各種情報を表示する表示部２４（第２の表示部）、当駅に設置された全ての自動改札機２との間で各種データを送受信するための送受信部２５、および他の駅の監視装置４との間で各種データを送受信するための通信制御部２６が接続されている。メモリ２１にも、上述したデータベースと同じデータベースが用意されている。
【００１４】
次に、上記のように構成されたシステム１による動作について、図２に示すフローチャートを参照して説明する。ここでは、Ａ駅で乗車した利用客がＢ駅で降車するまでの処理について説明する。
【００１５】
Ａ駅（乗車駅）の自動改札機２のアンテナ部１２に利用客が所持するＩＣカードが翳されると（ステップ１；ＹＥＳ）、Ｒ／Ｗ１３を介して当該ＩＣカードから前回取引に関する処理データ（第１処理データ）が読み取られる（ステップ２）。この場合、第１処理データは、例えば、前日にＡ駅に帰着した利用客が自動改札機２を通過した際にＩＣカードに書き込まれたデータとなる。
【００１６】
そして、ＣＰＵ１０は、ステップ２で読み取った第１処理データに基づいて、前回取引（前日、Ａ駅の自動改札機２が行なった処理）のときと同じ演算処理をする（ステップ３）。この場合、例えば、利用客が、前日、Ｃ駅から乗車してＡ駅で降車していたものとすると、Ｃ駅の自動改札機２で記録された入場記録とＡ駅の自動改札機２で記録された出場記録に基づいてメモリ１１に格納されているデータベースを参照してＣ駅からＡ駅までの乗車料金が再度演算されることになる。尚、この場合、Ａ駅の自動改札機２で、前日、ＩＣカードに記録された第１処理データは、Ｃ駅からＡ駅までの乗車料金、当該処理を実行したＡ駅の自動改札機の認識番号、日付等となる。
【００１７】
ステップ３の演算処理の結果、前日の演算結果と異なって、データの不一致が判断されると（ステップ４；ＮＯ）、ＣＰＵ１０は、前記取引を行なった際の自動改札機２の動作異常、および今回ＩＣカードからデータを読み取って再演算した自動改札機２の動作異常のうち少なくとも一方であることを判断する。いずれにしても、この場合、ＣＰＵ１０は、ゲート１４を閉じて（ステップ５）利用客の通行を禁止するとともに、表示部１５を介して利用客に案内表示をする（ステップ６）。案内表示は、例えば、“異常が発生しました”“駅係員のいる窓口をご利用ください”などとなる。この場合、利用客は、Ａ駅の駅務室にいる駅係員にＩＣカードを渡して処理してもらうことになる。この場合の処理については後に詳述する。
【００１８】
また、ＣＰＵ１０は、ステップ４でデータの不一致を判断すると、送受信部１６を介して、監視装置４に対して、動作異常を判断した自動改札機の認識番号とともに当該イベント情報を通知する（ステップ７）。そして、送受信部２５を介してこの通知を受けた監視装置４のＣＰＵ２０は、表示部２４を介して駅務室にいる駅係員に当該イベントの発生を表示する（ステップ８）。これにより、駅係員が、動作異常を生じた自動改札機２を特定することができる。
【００１９】
一方、ステップ４で演算結果が一致していることが判断されると（ステップ４；ＹＥＳ）、ＣＰＵ１０は、ゲート１４を開いて（ステップ９）利用客の通行を許可するとともに、Ｒ／Ｗ１３を介して、今回取引に関する処理データ（第２処理データ）、すなわち入場記録をＩＣカードに記録する（ステップ１０）。
【００２０】
この後、図３に示すように、鉄道を利用した利用客が、Ｂ駅（降車駅）の自動改札機２のアンテナ部１２にＩＣカードを翳すと（ステップ１１；ＹＥＳ）、Ｒ／Ｗ１３を介して当該ＩＣカードから前回取引に関する処理データ（第１処理データ）が読み取られる（ステップ１２）。この場合、第１処理データは、ステップ１０でＡ駅の自動改札機２によってＩＣカードに書き込まれた入場記録となる。
【００２１】
そして、ＣＰＵ１０は、ステップ１２で読み取った第１処理データに基づいて、前回取引（Ａ駅の自動改札機２が行なった入場処理）のときと同じ演算処理をする（ステップ１３）。つまり、この場合、Ｂ駅の自動改札機２のＣＰＵ１０がＡ駅の自動改札機２で入場記録を記録したときと同じ演算をする。
【００２２】
ステップ１３の演算処理の結果、前回取引の演算結果と異なって、データの不一致が判断されると（ステップ１４；ＮＯ）、ＣＰＵ１０は、前回取引を行なった際のＡ駅の自動改札機２の動作異常、および今回ＩＣカードからデータを読み取って再演算したＢ駅の自動改札機２の動作異常のうち少なくとも一方であることを判断する。いずれにしても、この場合、ＣＰＵ１０は、ゲート１４を閉じて（ステップ１５）利用客の通行を禁止するとともに、表示部１５を介して利用客に案内表示をする（ステップ１６）。案内表示は、例えば、“異常が発生しました”“駅係員のいる窓口をご利用ください”などとなる。この場合、利用客は、Ｂ駅の駅務室にいる駅員にＩＣカードを渡して処理してもらうことになる。この場合の処理については後に詳述する。
【００２３】
また、ＣＰＵ１０は、ステップ１４でデータの不一致を判断すると、送受信部１６を介して、監視装置４に対して、動作異常を判断した自動改札機２の認識番号とともに当該イベント情報を通知する（ステップ１７）。そして、送受信部２５を介してこの通知を受けた監視装置４のＣＰＵ２０は、表示部２４を介して駅務室にいる駅係員に当該イベントの発生を表示する（ステップ１８）。これにより、駅係員が、動作異常を生じた自動改札機２を特定することができる。
【００２４】
一方、ステップ１４で演算結果が一致していることが判断されると（ステップ１４；ＹＥＳ）、ＣＰＵ１０は、メモリ１１に格納されているデータベースを参照して、Ａ駅からＢ駅までの乗車料金を精算し（ステップ１９）、ＩＣカードから精算した乗車料金の引き去り処理をした後、出場記録（第２処理データ）をＩＣカードに書き込み、ゲート１４を開いて（ステップ２０）利用客の通行を許可する（ステップ２１）。
【００２５】
ところで、上述したステップ４或いはステップ１４で演算結果の不一致が判断されて、自動改札機２の通行を禁止された利用客は、自動改札機２の近くに設置された駅務室にいる駅係員にＩＣカードを渡して処理してもらうことになる。
【００２６】
この場合、図４に示すように、駅係員は、利用客から受け取ったＩＣカードを監視装置４のアンテナ部２２に翳す（ステップ３１；ＹＥＳ）。これにより、Ｒ／Ｗ２３を介して、ＩＣカードから前回取引に関する処理データ（第１処理データ）が読み取られる（ステップ３２）。
【００２７】
そして、監視装置４のＣＰＵ２０は、ステップ３２で読み取った第１処理データに基づいて、前回取引のときと同じ演算処理をする（ステップ３３）。ステップ３３の演算処理の結果、前回取引の演算結果と異なって、データの不一致を判断すると（ステップ３４；ＮＯ）、ＣＰＵ２０は、前記取引を行なった自動改札機２の動作異常を判断し、イベント発生を通知する（ステップ３５）。
【００２８】
このとき、前記取引を行なった自動改札機２が他の駅の自動改札機である場合、監視装置４のＣＰＵ２０は、通信制御部２６を介して、該当する駅の監視装置４へイベント発生を通知する。この場合、該当駅の監視装置４は、表示部２４を介して、駅係員に対して、動作異常を生じた自動改札機４の認識番号やイベント情報を表示する（ステップ３６）。
【００２９】
また、監視装置４のＣＰＵ２０は、ステップ３４でデータが一致したことを判断すると（ステップ３４；ＹＥＳ）、今回取引を行なった当駅の自動改札機２の動作異常を判断し、該当する自動改札機２から通知されている認識番号に基づいて動作異常を生じた自動改札機２のイベント発生を表示部２４を介して表示する（ステップ３７）。
【００３０】
以上のように、本実施の形態によると、今回取引時に前回取引に関する処理データを読み取って再演算するため、例えば、Ａ駅から乗車してＢ駅で降車する場合、Ａ駅の自動改札機が誤動作して間違った入場記録を書き込んだとしても、Ｂ駅の自動改札機でその動作異常を判断できる。また、この場合、Ｂ駅の自動改札機が誤動作しても、その動作異常を自身で判断できる。このため、本実施の形態によると、システムによる処理の信頼性を高めることができ、利用客の利便性を向上でき、自動改札機の動作異常を容易且つ確実に判断できる。
【００３１】
尚、この発明は、上述した実施の形態に限定されるものではなく、この発明の範囲内で種々変形可能である。例えば、上述した実施の形態では、無線によってデータを読み書きするＩＣカードを用いた場合について説明したが、これに限らず、磁気によりデータを読み書きするタイプの乗車券媒体を採用しても良い。
【００３２】
【発明の効果】
以上説明したように、この発明の自動改札機、ＩＣカード処理装置、および自動改札システムは、上記のような構成および作用を有しているので、処理の信頼性を高めることで利用客の利便性を向上でき、機器の動作異常を容易且つ確実に判断できる。
【図面の簡単な説明】
【図１】この発明の実施の形態に係る自動改札システムを示す概略ブロック図。
【図２】図１のシステムによる処理動作を説明するためのフローチャート。
【図３】図１のシステムによる処理動作を説明するためのフローチャート。
【図４】図１のシステムによる処理動作を説明するためのフローチャート。
【符号の説明】
１…自動改札システム、２…自動改札機、４…監視装置、１０…ＣＰＵ、１１…メモリ、１２…アンテナ部、１３…Ｒ／Ｗ、１４…ゲート、１５…表示部、１６…送受信部、２０…ＣＰＵ、２１…メモリ、２２…アンテナ部、２３…Ｒ／Ｗ、２４…表示部、２５…送受信部、２６…通信制御部。
【図１】
2004310669.tif 000003
【図２】
2004310669.tif 000004
【図３】
2004310669.tif 000005
【図４】
2004310669.tif 000006